(57)【特許請求の範囲】
【請求項１】
壁面から凸の立設部と、この立設部の先端に設けられかつスペアヒューズの一の外縁部に係止する爪部とを備えた係止部と、
前記壁面から凸の第２立設部と、この第２立設部の先端に設けられかつスペアヒューズの一の外縁部の反対側の他の外縁部に係止する第２爪部とを備えた第２係止部と、を備え、
前記爪部には、前記第２爪部に近づくのにしたがって前記壁面に近づくように前記壁面に対して傾斜しているとともに、スペアヒューズの前記他の外縁部が前記壁面に接するとともに前記第２爪部と前記壁面の間に接し、スペアヒューズの前記一の外縁部が前記爪部と重なるスペアヒューズを仮保持した状態において、スペアヒューズの前記一の外縁部と重なる傾斜面が設けられていることを特徴とするスペアヒューズの保持構造。
【請求項２】
前記壁面から凸でかつ前記係止部と前記第２係止部との間に設けられて、前記一の外縁部が前記爪部に係止されかつ前記他の外縁部が前記第２爪部に係止されたスペアヒューズが重ねられる凸部を備えたことを特徴とする請求項１記載のスペアヒューズの保持構造。
【請求項３】
前記凸部の前記第２係止部寄りの縁部には、前記第２立設部に近づくのにしたがって前記壁面近づくように前記壁面に対して傾斜しているとともに、スペアヒューズの前記他の外縁部が前記第２爪部と前記壁面の間に接し、スペアヒューズの前記一の外縁部が前記爪部の前記傾斜面と重なるスペアヒューズを仮保持した状態において、スペアヒューズの前記他の外縁部と重なる第２傾斜面が設けられていることを特徴とする請求項２記載のスペアヒューズの保持構造。
【発明の詳細な説明】
【技術分野】
【０００１】
本発明は、移動体としての自動二輪車などに搭載される電気接続箱に関する。
【背景技術】
【０００２】
移動体としての自動二輪車には、一般に、ヘッドランプ及びテールランプなどのランプ類、スタータモータ、などの多種多様な電子機器が搭載されている。
【０００３】
前述した多種多様な電子機器に電力を供給するために、前記自動二輪車は、ジャンクションブロックを適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、ブスバーなどを有することもあることから、ヒューズブロック、リレーボックス、又は総称して電気接続箱とも呼ばれる。本明細書では、前述したヒューズブロック、リレーボックス、ジャンクションブロックを、総称して以下電気接続箱（例えば、特許文献１参照）と呼ぶ。
【０００５】
特許文献１などに示された電気接続箱は、箱本体と、この箱本体内に収容される複数のバスバと、アッパカバーと、ロアカバーとを備えている。箱本体は、絶縁性の合成樹脂で構成され、その上面にヒューズ、リレーなどの電気部品が取り付けられかつその下面にワイヤハーネスの複数の電線の端末が取り付けられる。バスバは、箱本体内に設けられて、前述したワイヤハーネスの各電線と前述した電気部品とを予め定められたパターンにしたがって電気的に接続する。
【０００６】
アッパカバーは、絶縁性の合成樹脂で構成され、箱本体の上面を覆う状態で当該箱本体に取り付けられる。ロアカバーは、絶縁性の合成樹脂で構成され、箱本体の下面を覆う状態で当該箱本体に取り付けられる。
【０００７】
前述した電気接続箱は、電源からの電力が電源ケーブルにより供給され、この電力をバスバなどにより分岐し、前述したヒューズやリレーを通した後に、ワイヤハーネスの電線を介して、各種の電子機器に供給する。
【０００８】
また、前述したアッパカバーには、前述した箱本体の上面に取り付けられたヒューズの可溶体が溶断した際に用いられるスペアヒューズを保持するスペアヒューズ保持構造としての保持部が設けられている。勿論、スペアヒューズは、可溶体が溶断したヒューズと交換される。ヒューズ及びスペアヒューズは、互いに平行な一対の端子と、これら端子の一端部同士を連結しかつ所定の電流値で溶断する可溶体と、前記端子の一端部と前記可溶体とを収容するハウジングとを備えている。
【先行技術文献】
【特許文献】
【０００９】
【特許文献１】特開２００５−１８５００９号公報
【発明の概要】
【発明が解決しようとする課題】
【００１０】
前述した特許文献１に示された電気接続箱では、互いに平行な一対のブレード状の端子と、端子の一端部同士を連結した可溶体と、前記端子の他端部を外縁から突出させかつ端子の一端部及び可溶体を収容した扁平な箱状のハウジングとを備えた所謂ミニヒューズを前述した保持部に保持している。しかしながら、前述したヒューズとして、端子の他端部をハウジングの外縁から殆ど突出させずにハウジングに端子の他端部を露出させる切欠きを設けた所謂低背ミニヒューズが用いられることがある。このような所謂低背ミニヒューズは、ハウジングの外縁から端子の他端部を殆ど突出させないために、小型化が図れているので、前述した保持部に取り付けることが困難であった。
【００１１】
したがって、本発明の目的は、所謂低背ミニヒューズであっても容易に保持部に取り付けることができるスペアヒューズの保持構造を提供することにある。
【課題を解決するための手段】
【００１２】
前記課題を解決し目的を達成するために、請求項１に記載の本発明のスペアヒューズの保持構造は、壁面から凸の立設部と、この立設部の先端に設けられかつスペアヒューズの一の外縁部に係止する爪部とを備えた係止部と、前記壁面から凸の第２立設部と、この第２立設部の先端に設けられかつスペアヒューズの一の外縁部の反対側の他の外縁部に係止する第２爪部とを備えた第２係止部と、を備え、前記爪部には、前記第２爪部に近づくのにしたがって前記壁面に近づくように前記壁面に対して傾斜しているとともに、スペアヒューズの前記他の外縁部が前記壁面に接するとともに前記第２爪部と前記壁面の間に接し、スペアヒューズの前記一の外縁部が前記爪部と重なるスペアヒューズを仮保持した状態において、スペアヒューズの前記一の外縁部と重なる傾斜面が設けられていることを特徴としている。
【００１３】
請求項２に記載の本発明のスペアヒューズの保持構造は、請求項１記載のスペアヒューズの保持構造において、前記壁面から凸でかつ前記係止部と前記第２係止部との間に設けられて、前記一の外縁部が前記爪部に係止されかつ前記他の外縁部が前記第２爪部に係止されたスペアヒューズが重ねられる凸部を備えたことを特徴としている。
【００１４】
請求項３に記載の本発明のスペアヒューズの保持構造は、請求項２記載のスペアヒューズの保持構造において、前記凸部の前記第２係止部寄りの縁部には、前記第２立設部に近づくのにしたがって前記壁面に近づくように前記壁面に対して傾斜しているとともに、スペアヒューズの前記他の外縁部が前記第２爪部と前記壁面の間に接し、スペアヒューズの前記一の外縁部が前記爪部の前記傾斜面と重なるスペアヒューズを仮保持した状態において、スペアヒューズの前記他の外縁部と重なる第２傾斜面が設けられていることを特徴としている。
【００１５】
請求項１に記載した本発明のスペアヒューズの保持構造によれば、壁面と第２爪部との間に他の外縁部を位置付けると、スペアヒューズが重なる傾斜面を爪部に設けている。このために、壁面と第２爪部との間に他の外縁部を位置付け、かつ傾斜面上にスペアヒューズを重なることで、両爪部で係止する前のスペアヒューズを仮保持する（一時的に保持する）ことができる。このような状態で、一の外縁部を壁面に向かって押圧することで、両爪部がヒューズの外縁部に係止することができる。
【００１６】
請求項２に記載した本発明のスペアヒューズの保持構造によれば、係止部間に壁面から凸の凸部を設けているので、傾斜面上のヒューズの一の外縁部を壁面に向かって押圧する際に、当該ヒューズが凸部に接触して、凸部との接触箇所を中心として回転する。
【００１７】
請求項３に記載した本発明のスペアヒューズの保持構造によれば、壁面と第２爪部との間に他の外縁部を位置付け、爪部の傾斜面に重なったスペアヒューズが重なる第２傾斜面を凸部に更に設けている。このために、両爪部で係止する前のスペアヒューズをより安定して仮保持する（一時的に保持する）ことができる。
【発明の効果】
【００１８】
以上説明したように請求項１に記載の本発明は、傾斜面上に重ねて仮保持したヒューズの一の外縁部を壁面に向かって押圧することで、両爪部が外縁部に係止できるので、容易に、ヒューズを保持することができる。よって、所謂低背ミニヒューズであっても容易にヒューズを取り付けることができる。
【００１９】
請求項２に記載の本発明は、傾斜面上のヒューズの一の外縁部を壁面に向かって押圧する際に、当該ヒューズの凸部との接触箇所を中心として回転するので、確実に両爪部がヒューズの外縁部を係止することができる。
【００２０】
請求項３に記載の本発明は、両爪部で係止する前のスペアヒューズをより安定して仮保持する（一時的に保持する）ことができるので、より容易に、ヒューズを保持することができる。
【図面の簡単な説明】
【００２１】
【図１】本発明の一実施形態に係る電気接続箱の斜視図である。
【図２】図１に示された電気接続箱の箱本体を分解して示す斜視図である。
【図３】図２に示された電気接続箱の箱本体のブロックの平面図である。
【図４】図３中の矢印ＩＶ方向から見た側面図である。
【図５】図３中の矢印Ｖ方向から見た側面図である。
【図６】図３中のＶＩ−ＶＩ線に沿う断面図である。
【図７】図１中のＶＩＩ−ＶＩＩ線に沿う断面図である。
【図８】図１に示された電気接続箱のアッパカバーを裏側からみた斜視図である。
【図９】図８中のＩＸ部を拡大して示す斜視図である。
【図１０】図９中のＸ−Ｘ線に沿う断面図である。
【図１１】図８に示されたアッパカバーの保持構造がヒューズを保持した状態を裏側からみた斜視図である。
【図１２】図１１中のＸＩＩ部を拡大して示す斜視図である。
【図１３】図１２中のＸＩＩＩ−ＸＩＩＩ線に沿う断面図である。
【図１４】図９に示された保持構造にヒューズを仮保持した状態を示す斜視図である。
【図１５】図１４中のＸＶ−ＸＶ線に沿う断面図である。
【図１６】図１に示された電気接続箱のヒューズの斜視図である。
【図１７】図１に示された電気接続箱を備えた自動二輪車の側面図である。
【発明を実施するための形態】
【００２２】
以下、本発明の一実施形態にかかるスペアヒューズの保持構造（以下、単に保持構造と呼ぶ）を図１ないし図１７に基づいて説明する。本実施形態にかかる保持構造３５は、図１に示す電気接続箱１を構成している。電気接続箱１は、移動体としての自動二輪車２（図１７に示す）に搭載される。電気接続箱１は、図１７に示すように、自動二輪車２のダミータンク型収納ボックス３よりも前方側に配置されたバッテリボックス４内にバッテリ５に隣接して収容されている。
【００２３】
電気接続箱１は、図１及び図２に示すように、箱本体６と、アッパカバー７と、前述した保持構造３５を備えている。なお、本実施形態では、箱本体６とアッパカバー７とが互いに重なる方向を厚み方向Ｚとよび、この厚み方向Ｚに対して交差（図示例では直交）し後述するブロック８同士が並ぶ方向を長手方向Ｙとよび、前記厚み方向Ｚと長手方向Ｙとの双方に対して交差（図示例では直交）する方向を幅方向Ｘとよぶ。
【００２４】
箱本体６は、互いに汲みつけられる複数のブロック８と、図示しないバスバと、を備えている。なお、図示例では、箱本体６は、二つのブロック８を備えており、これら二つのブロック８は互いに同形状に形成されている。
【００２５】
ブロック８は、絶縁性の合成樹脂で構成され、箱状に形成されている。ブロック８は、図３乃至図６に示すように、箱状のブロック本体９と、連結部１０と、カバー固定部１１と、収容凹部１２とを備えている。
【００２６】
ブロック本体９は、箱状に形成され、かつ図４及び図５中の上方側に位置する表面９ａ（以下、上面と呼ぶ）に電気部品としてのヒューズ１３やリレー１４などを装着する装着部１５を設け、図４及び図５中の下方側に位置する表面９ｂ（以下、下面と呼ぶ）にワイヤハーネスのコネクタが装着されるコネクタ装着部を設けている。
【００２７】
本実施形態では、ヒューズ１３は、図１６に示すように、一対の導電性の端子３２と、当該端子３２の長手方向の中央部同士を連結した図示しない可溶体と、絶縁性のハウジング３３とを備えている。端子３２は、それぞれ帯板状に形成されている。端子３２は、互いに間隔をあけて平行に設けられている。可溶体は、端子３２間を流れる電流の電流値が所定の値を超えると溶断する。ハウジング３３は、絶縁性の合成樹脂で構成されており、扁平な箱状に形成されている。また、ハウジング３３には、端子３２の一端部と中央部とを露出するように切欠き３４が形成されている。また、端子３２の一端部はハウジング３３から殆ど突出していない。このように、本実施形態で示されたヒューズ１３は、端子３２の一端部がハウジング３３から殆ど突出せずに、当該端子３２の一端部と中央部を露出させる切欠き３４がハウジング３３に設けられた所謂低背ミニヒューズとなっている。
【００２８】
連結部１０は、ブロック本体９の一方の端部１７（ブロック８の一方の端部に相当）に設けられた連結係合部１９及びガイド溝部２０と、ブロック本体９の他方の端部１８（ブロック８の他方の端部に相当）に設けられた連結係合受け部２１及びガイド突起２２と、を備えている。連結係合部１９は、ブロック８のブロック本体９の一方の端部１７の端面１７ａの中央から凸の突起状に形成されている。ガイド溝部２０は、前記端面１７ａの幅方向Ｘの両端に設けられている。ガイド溝部２０は、前記端面１７ａの表面から凸でかつ互いに幅方向Ｘに間隔をあけて設けられているとともに厚み方向Ｚに沿って直線状に延在した一対の凸条壁２３を備えている。
【００２９】
連結係合受け部２１は、ブロック８のブロック本体９の他方の端部１８の端面１８ａの中央に一端が連なった可撓性を有するアーム状に形成されている。ガイド突起２２は、前記端面１８ａの幅方向Ｘの両端に設けられている。ガイド突起２２は、前記端面１８ａの表面から凸でかつ厚み方向Ｚに沿って直線状に延在している。
【００３０】
前述した構成の連結部１０は、ガイド突起２２をガイド溝部２０の一対の凸条壁２３間に通して、ブロック８同士を厚み方向Ｚに沿って互いに近づくように案内するとともに、連結係合部１９が連結係合受け部２１に係合することで、ブロック８同士を直列に連結する。
【００３１】
カバー固定部１１は、図３及び図６に示すように、第２係合部としての引っ掛け部２４と、第１係合部としての係合枠部２５とを備えている。引っ掛け部２４は、ブロック本体９の他方の端部１８の端面１８ａから凸の一対の引っ掛け突起２６を備えている。一対の引っ掛け突起２６は、ブロック本体９の他方の端部１８の端面１８ａの上面９ａ寄りの箇所に設けられ、かつ、互いに幅方向Ｘに間隔をあけて設けられている。
【００３２】
係合枠部２５は、ブロック本体９の一方の端部１７の端面１７ａに両端が連なった枠状に形成されている。係合枠部２５は、ブロック本体９の一方の端部１７の端面１７ａの上面９ａ寄りの箇所でかつ幅方向Ｘの中央に設けられている。
【００３３】
収容凹部１２は、ブロック本体９の他方の端部１８の端面１８ａと上面９ａとの双方から凹に形成されており、前記端面１８ａの幅方向Ｘの中央に設けられている。収容凹部１２は、図７に示すように、連結部１０によりブロック８が互いに直列に連結された際に、係合枠部２５を内側に収容する。また、収容凹部１２は、図７に示すように、内側に収容した係合枠部２５上に最も他方の端部１８の端面１８ａ寄りの装着部１５に装着される電気部品としてのリレー１４が重なる位置に設けられている。即ち、収容凹部１２は、ブロック８のブロック本体９の係合枠部２５をリレー１４に重なる位置に位置付けている。
【００３４】
バスバは、導電性の板金で構成され、かつブロック本体９内に収容されている。バスバは、装着部１５に装着されるヒューズ１３やリレー１４と、コネクタ装着部に装着されるワイヤハーネスのコネクタとを予め定められたパターンにしたがって電気的に接続する。
【００３５】
前述した構成の箱本体６は、連結部１０によりブロック８が互いに直列に連結されて組み立てられる。そして、箱本体６は、装着部１５にヒューズ１３やリレー１４が取り付けられるとともに、コネクタ装着部にワイヤハーネスのコネクタが装着される。そして、箱本体６は、装着部１５に装着されるヒューズ１３やリレー１４と、コネクタ装着部に装着されるワイヤハーネスのコネクタとを予め定められたパターンにしたがって電気的に接続する。
【００３６】
アッパカバー７は、絶縁性の合成樹脂からなり、周知の射出成形により成形される。アッパカバー４は、平坦な天井壁２７と、この天井壁２７の外縁それぞれから立設した四つの周壁２８とを備えている。また、アッパカバー７の長手方向Ｙの一方の端部には、係合爪２９が設けられ、アッパカバー７の長手方向Ｙの他方の端部には、引っ係り部３０が設けられている。係合爪２９は、アッパカバー７の周壁２８の縁から箱本体６に向かって突出した爪状に形成されている。係合爪２９は、係合枠部２５内に侵入して、当該係合枠部２５に係止する。引っ係り部３０は、アッパカバー７の周壁２８の縁から箱本体６に向かって突出した平板状に形成されかつ引っ掛け突起２６が侵入する侵入受け孔３１が設けられている。
【００３７】
前述した構成のアッパカバー７は、引っ係り部３０の侵入受け孔３１内に引っ掛け突起２６を侵入させて当該引っ掛け突起２６を引っ掛ける。そして、アッパカバー７は、係合爪２９が係合枠部２５に近づくように、侵入受け孔３１を中心として回転されて、箱本体６に近づけられる。アッパカバー７は、係合爪２９が係合枠部２５内に侵入して、当該係合枠部２５に係止することで、箱本体６の上面９ａを覆う状態で、当該箱本体６に取り付けられる。
【００３８】
保持構造３５は、アッパカバー７にスペアヒューズ１３を保持する構造である。なお、スペアヒューズ１３は、前述したヒューズ１３と構成が等しいので、同一部分に同一符号を付して説明を省略し、以下、ヒューズ１３と呼ぶ。保持構造３５は、図８及び図１１に示すように、アッパカバー７に四つ設けられている。保持構造３５は、アッパカバー７の天井壁２７の箱本体６の上面９ａに相対する内面２７ａ（壁面に相当）に設けられている。図示例では、保持構造３５は、アッパカバー７の長手方向Yに間隔をあけて二つ設けられかつ当該アッパカバー７の幅方向Ｘに間隔をあけて二つ設けられている。
【００３９】
保持構造３５は、図９、図１０及び図１２に示すように、それぞれ、一対の係止部３６と、一つの第２係止部３７と、凸部３８とを備えている。係止部３６は、アッパカバー７の幅方向Ｘに互いに間隔をあけて設けられている。係止部３６は、ぞれぞれ、アッパカバー７の内面２７ａから凸の立設部３９と、この立設部３９の先端に設けられた爪部４０とを一体に備えている。立設部３９は、アッパカバー７の内面２７ａから凸の四角柱状に形成されている。爪部４０は、立設部３９の先端から第２係止部３７に向かって突出している。また、爪部４０には、第２係止部３７の後述する第２爪部４３に近づくのにしたがって徐々に内面２７ａに近づくように当該内面２７ａに対して傾斜した傾斜面４１が設けられている。係止部３６は、図１３に示すように、爪部４０が内面２７ａとの間にヒューズ１３のハウジング３３の一の外縁部３３ａを位置付けて、当該一の外縁部３３ａに係止する。
【００４０】
第２係止部３７は、アッパカバー７の内面２７ａから凸の第２立設部４２と、この第２立設部４２の先端に設けられた第２爪部４３とを一体に備えている。第２立設部４２は、アッパカバー７の内面２７ａから凸の四角柱状に形成されている。第２爪部４３は、第２立設部４２の先端から係止部３６に向かって突出している。第２係止部３７は、図１３に示すように、第２爪部４３が内面２７ａとの間にヒューズ１３のハウジング３３の一の外縁部３３ａの反対側の他の外縁部３３ｂを位置付けて、当該他の外縁部３３ｂに係止する。
【００４１】
凸部３８は、係止部３６と第２係止部３７との間に設けられかつアッパカバー７の内面２７ａから凸に形成されている。凸部３８は、一の外縁部３３ａが爪部４０に係止されかつ他の外縁部３３ｂが第２爪部４３に係止されたヒューズ１３が表面上に重ねられる。なお、凸部３８の表面は、アッパカバー７の内面２７ａと平行に平坦に形成されている。また、凸部３８の第２係止部３７寄りの縁部には、第２立設部４２に近づくのにしたがって内面２７ａに近づくように内面２７ａに対して傾斜した第２傾斜面４４が設けられている。
【００４２】
前述した構成の保持構造３５は、以下のように、ヒューズ１３を保持する。まず、ヒューズ１３のハウジング３３の一の外縁部３３ａを係止部３６寄りに位置付け、かつ、ヒューズ１３のハウジング３３の他の外縁部３３ｂを第２係止部３７寄りに位置付ける。そして、図１４及び図１５に示すように、ハウジング３３の他の外縁部３３ｂを、内面２７ａと第２爪部４３との間に位置付け、ヒューズ１３のハウジング３３を傾斜面４１及び第２傾斜面４４に重ねる。このように、傾斜面４１，４４には、第２爪部４３と内面２７ａとの間に他の外縁部３３ｂが位置付けられたヒューズ１３が重なる。こうして、保持構造３５は、ヒューズ１３を仮保持する。
【００４３】
そして、ヒューズ１３のハウジング３３の一の外縁部３３ａを内面２７ａに向かって圧入する。すると、ハウジング３３が凸部３８との接触箇所を中心として回転して、爪部４０がハウジング３３の一の外縁部３３ａから離れる方向に、係止部３６の立設部３９が一旦弾性変形する。そして、ハウジング３３の一の外縁部３３ａが、内面２７ａと爪部４０との間に位置付けられると、立設部３９が弾性復元力により中立状態に復帰して、当該爪部４０がハウジング３３の一の外縁部３３ａに係止する。こうして、保持構造３５は、ヒューズ１３をアッパカバー７に保持する。
【００４４】
前述したように構成された電気接続箱１は、バッテリボックス４内にバッテリ５に隣接して収容されて、自動二輪車２に取り付けられる。
【００４５】
本実施形態によれば、内面２７ａと第２爪部４３との間に他の外縁部３３ｂを位置付けると、ヒューズ１３が重なる傾斜面４１を爪部４０に設けている。このために、内面２７ａと第２爪部４３との間に他の外縁部３３ｂを位置付け、かつ傾斜面４１上にヒューズ１３を重なることで、両爪部４０，４３で係止する前のヒューズ１３を仮保持する（一時的に保持する）ことができる。このような状態で、一の外縁部３３ａを内面２７ａに向かって押圧することで、両爪部４０，４３がヒューズ１３の外縁部３３ａ，３３ｂに係止することができる。したがって、容易に、ヒューズ１３を保持することができる。よって、所謂低背ミニヒューズであっても容易にヒューズ１３を取り付けることができる。
【００４６】
係止部３６，３７間に内面２７ａから凸の凸部３８を設けているので、傾斜面４１上のヒューズ１３の一の外縁部３３ａを内面２７ａに向かって押圧する際に、当該ヒューズ１３が凸部３８に接触して、凸部３８との接触箇所を中心として回転する。したがって、確実に両爪部４０，４３がヒューズ１３の外縁部３３ａ，３３ｂを係止することができる。
【００４７】
内面２７ａと第２爪部４３との間に他の外縁部３３ｂを位置付け、爪部４０の傾斜面４１に重なったヒューズ１３が重なる第２傾斜面４４を凸部３８に更に設けている。このために、両爪部４０，４３で係止する前のヒューズ１３をより安定して仮保持する（一時的に保持する）ことができる。よって、より容易に、ヒューズ１３を保持することができる。
【００４８】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４９】
１３  ヒューズ（スペアヒューズ）
２７ａ  内面（壁面）
３３ａ  一の外縁部
３３ｂ  他の外縁部
３５  スペアヒューズの保持構造
３６  係止部
３７  第２係止部
３８  凸部
３９  立設部
４０  爪部
４１  傾斜面
４２  第２立設部
４３  第２爪部
４４  第２傾斜面
【図１】
0005746541.tif 000002
【図２】
0005746541.tif 000003
【図３】
0005746541.tif 000004
【図４】
0005746541.tif 000005
【図５】
0005746541.tif 000006
【図６】
0005746541.tif 000007
【図７】
0005746541.tif 000008
【図８】
0005746541.tif 000009
【図９】
0005746541.tif 000010
【図１０】
0005746541.tif 000011
【図１１】
0005746541.tif 000012
【図１２】
0005746541.tif 000013
【図１３】
0005746541.tif 000014
【図１４】
0005746541.tif 000015
【図１５】
0005746541.tif 000016
【図１６】
0005746541.tif 000017
【図１７】
0005746541.tif 000018